(57)【要約】 【課題】  火災検知器の電源を落とすことなく、火災検知器へ放射される赤外線を一時的に遮断して火災検知器がトンネル等の施設内で工事を行う際に発生する火花等を火災の炎として検知して誤報を出すことを防止する火災検知器カバーを提供する。【解決手段】  火災検知器カバーＡ１を構成するシート状のカバー部材１の全面に赤外線を遮断する遮光部１ａと、カバー部材１の表面に蓄光部２１，２２，２３と反射部３を設け、火災検知器ＦＤに火災検知器カバーＡ１を取付ける取付け手段として、カバー部材１の開口部４に口ゴム部５を設ける。蓄光部２２，２３と反射部３は面ファスナーによりカバー部材１の表面に面方向で着脱自在に設けられている。【選択図】図１
2018106215.tif 000002
【特許請求の範囲】
【請求項１】
火災検知器へ放射される赤外線を一時的に遮断するために前記火災検知器を覆う火災検知器カバーであって、
シート状のカバー部材と、
前記カバー部材の少なくとも一部に設けられた赤外線を遮断する遮光部と、
前記カバー部材の表面に設けられた蓄光部又は反射部と、
前記火災検知器に前記カバー部材を取付ける取付け手段と、
を備えたことを特徴とする火災検知器カバー。
【請求項２】
前記蓄光部又は前記反射部が前記カバー部材に着脱自在に設けられていることを特徴とする請求項１記載の火災検知器カバー。
【請求項３】
前記火災検知器が前記火災検知器カバーにより覆われている状態において、前記蓄光部又は前記反射部が、少なくとも前記火災検知器の縦中心線の左右いずれかに設けられていることを特徴とする請求項１又は２記載の火災検知器カバー。
【請求項４】
前記蓄光部又は前記反射部の少なくとも一部が前記カバー部材の表面より突出していることを特徴とする請求項１乃至３にいずれかに記載の火災検知器カバー。
【請求項５】
前記蓄光部又は前記反射部が前記カバー部材の面方向で十字状又はＸ状の形状であることを特徴とする請求項１乃至４にいずれかに記載の火災検知器カバー。
【発明の詳細な説明】
【技術分野】
【０００１】
本発明は、トンネル等の施設内に非常用設備として設置された火災検知器へ放射される赤外線を一時的に遮断するために前記火災検知器を覆う火災検知器カバーに関するものである。
【背景技術】
【０００２】
トンネル等の施設内において、補修工事や大規模改修工事等が行われる際、工事中に使用されるガスバーナーやサンダ等の火花が発生する。上記施設内に非常用設備として設置する火災検知器は、この火花を火災による炎として検知し、道路管理者等に火災信号を通知するという問題があった。火災検知器としては炎を正常に検知しているが、実際の火災ではなく、工事作業に伴う誤報であるため、このような誤報を出さないようにする必要がある。誤報を出さないようにするため、工事前に火災検知器の電源を落とすことも考えられるが、火災監視が必要な工事区間以外の火災検知器の電源も落ちるため、火災監視が出来ていない状態となってしまう。このため、火災検知器の電源を落とさずに誤報を出さないようにする場合は、火災検知器から火災信号を受け取る受信盤から他の設備へ火災情報を出力しないように受信盤を設定し、受信盤の前に監視員を常時待機させ、工事作業に伴う誤報であるか、実際の火災であるかを判断する必要があった。
【先行技術文献】
【特許文献】
【０００３】
【特許文献１】特開２００３−２９６８４９号公報
【発明の概要】
【発明が解決しようとする課題】
【０００４】
そこで、本発明は、火災検知器の電源を切ることなく、火災検知器へ放射される赤外線を一時的に遮断して火災検知器がトンネル等の施設内で工事を行う際に発生する火花等を火災の炎として検知して誤報を出すことを防止する火災検知器カバーを提供することを課題とするものである。
【課題を解決するための手段】
【０００５】
本発明は、上記の課題を解決するためのものであり、以下の構成を有する。
【０００６】
（１）本発明は、火災検知器へ放射される赤外線を一時的に遮断するために前記火災検知器を覆う火災検知器カバーであって、シート状のカバー部材と、前記カバー部材の少なくとも一部に設けられた赤外線を遮断する遮光部と、前記カバー部材の表面に設けた蓄光部又は反射部と、前記火災検知器に前記カバー部材を取付ける取付け手段とを備えたことを特徴とする火災検知器カバーである。
【０００７】
一般的な施設内の火災の炎を検知する火災検知器は、炎から発生する赤外線を検知して火災が生じていることを検知するものである。従って本発明によれば、施設内の補修工事や大規模改修工事等が行われる際に、赤外線を遮断する遮光部を設けたシート状のカバー部材を備えた火災検知器カバーを火災検知器に被せることにより、工事中に使用されるガスバーナーやサンダ等の火花から火災検知器へ放射される赤外線を一時的に遮断して、ガスバーナーやサンダ等の火花を火災の炎として検知させないようにすることができる。また使用する際は火災検知器カバーを火災検知器に被せるだけで良いので、火災検知器の電源を切る必要もなく、工事後はカバーを外すだけで良いため、取り扱いが簡便である。また火災検知器カバーのカバー部材の表面に設けた蓄光部又は反射部は、蓄光部により発光又は反射部によりライトを当てれば光を反射する。従って工事後に火災検知器カバーを火災検知器から取り外すのを忘れている場合は、蓄光部が発光又は反射部により光を反射するので外し忘れに気がつきやすく、火災検知器カバーの取り忘れを防止することができる。また、火災検知器カバーを火災検知器に取付ける手段として、例えば口ゴムや面ファスナーを備えたベルトによりカバー部材の開口部を絞ることで容易に火災検知器から外れないようにすると共に、火災検知器カバーの取付け及び取外しを素早く簡便に行うことができる。
【０００８】
（２）また本発明は、前記蓄光部又は前記反射部が前記カバー部材に着脱自在に設けられていることを特徴とする（１）記載の火災検知器カバーである。
【０００９】
本発明によれば、蓄光部又は反射部をカバー部材から着脱自在に設けることで、状況に応じて様々な形状の蓄光部や反射部を取付けたり、蓄光部や反射部の位置を変えることができる。火災検知器はメーカーによってその形状は様々であり、火災検知器カバーも火災検知器の形状により変形する。また車道等におけるトンネルの両側には車道等から一段高くなった監視通路が設けられている。そして、トンネル内に設置される火災検知器は、監視通路から１．５ｍの高さにおけるトンネルの壁面等の位置に一定間隔で複数取付けられている。トンネル内の工事の際には前述のように影響のある火災検知器の全てに火災検知器カバーを取付け、工事後に火災検知器カバーを取り外す際に、火災検知器カバーを取り忘れていないか確認する。火災検知器は長いトンネル内の側壁に設けられていることから、トンネルの側壁側に設けられている監視通路から火災検知器カバーの取り忘れを確認するため、先ず始めに火災検知器の側面方向から視認することになる。また火災検知器に取付けてある火災検知器カバーの取り忘れを確認する場合に蓄光部や反射部が側面に設けられていれば、近づかなくても離れた位置の火災検知器カバーの取り忘れの確認がしやすい。しかし、火災検知器の形状により火災検知器カバーが変形し、蓄光部や反射部の形状や蓄光部や反射部のカバー部材への取付位置により蓄光部や反射部が、側面方向から見えにくくなってしまう場合がある。このような場合に蓄光部や反射部を側面方向から見えやすいように火災検知器の形状に合わせた蓄光部や反射部に取替えたり、蓄光部や反射部のカバー部材への取付位置を変えることで、火災検知器の形状に合わせた対応をすることができる。また火災検知器の形状に合わせた形状の蓄光部や反射部に取り替えるか、蓄光部や反射部の位置を変えるだけでよいので火災検知器カバー全体を火災検知器の形状に合わせて数種類用意する必要がなく、現場において柔軟な対応をすることができる。
【００１０】
（３）また、本発明は、前記火災検知器が前記火災検知器カバーにより覆われている状態において、前記蓄光部又は前記反射部が、少なくとも前記火災検知器の縦中心線の左右いずれかに設けられていることを特徴とする（１）又は（２）記載の火災検知器カバーである。
【００１１】
一般的な施設内の火災の炎を検知する火災検知器は、殆どが正面において縦中心線を中心として左右対称に作られており、検知範囲を広く取るために正面の縦中心線に沿った部分が突出している構造となっている。本発明によれば、火災検知器が前記火災検知器カバーにより覆われている状態において、蓄光部又は反射部が火災検知器の縦中心線の左右いずれかに設けられていれば、前述のように監視通路上で火災検知器の側面方向から火災検知器カバーの取り忘れを確認する場合に、蓄光部又は反射部が視界に入るようになる。従って、火災検知器カバーの取り忘れを確認し易くなり、工事後の火災検知器カバーの取り忘れを防止することができる。
【００１２】
（４）また、本発明は、前記蓄光部又は前記反射部の少なくとも一部が前記カバー部材の表面より突出していることを特徴とする（１）乃至（３）にいずれかに記載の火災検知器カバーである。
【００１３】
本発明によれば、蓄光部又は反射部の一部がカバー部材の表面より突出していため、火災検知器の形状によって蓄光部又は反射部が隠れることがなく視認することができるので、工事後の火災検知器カバーの取り忘れを防止することができる。
【００１４】
（５）また、本発明は、前記蓄光部又は前記反射部が前記カバー部材の面方向で十字状又はＸ状の形状であることを特徴とする（１）乃至（４）にいずれかに記載の火災検知器カバーである。
【００１５】
本発明によれば、蓄光部又は反射部の形状がカバー部材の面方向で十字状またはＸ状の形状であるので、火災検知器が火災検知器カバーに覆われている状態において、蓄光部又は反射部の一部が突出した縦中心線上に配置されると共に、縦中心線の左右にも配置される。このため、監視通路上で火災検知器の側面方向から火災検知器カバーの取り忘れを確認する場合に、蓄光部又は前記反射部が視界に入るようになる。従って、火災検知器カバーの取り忘れを確認し易くなり、工事後の火災検知器カバーの取り忘れを防止することができる。
【発明の効果】
【００１６】
本発明によれば、施設内の補修工事や大規模改修工事等が行われる際に、赤外線を遮断する遮光部を設けたカバー部材を備えた火災検知器カバーを火災検知器に被せることにより、工事中に使用されるガスバーナーやサンダ等の火花から火災検知器へ放射される赤外線を一時的に遮断して、ガスバーナーやサンダ等の火花を火災の炎として検知させないようにすることができる。このため火災検知器がトンネル等の施設内で工事を行う際に発生する火花等を火災の炎として検知して誤報を出すことを防止することができる。また蓄光部又は反射部を火災検知器カバーのカバー部材に設けることにより、工事後の火災検知器カバーの取り忘れを防止することができる。
【図面の簡単な説明】
【００１７】
【図１】本発明の実施例１における火災検知器カバーＡ１を火災検知器ＦＤに取付けた状態の正面図である。
【図２】本発明の実施例１における火災検知器カバーＡ１を火災検知器ＦＤに取付けた状態の側面図である。
【図３】本発明の実施例２における火災検知器カバーＡ２を火災検知器ＦＤに取付けた状態の正面図である。
【図４】本発明の実施例２における火災検知器カバーＡ２を火災検知器ＦＤに取付けた状態の側面図である。
【図５】本発明の実施例２における火災検知器カバーＡ２を火災検知器ＦＤに取付けた状態の底面図である。
【発明を実施するための形態】
【００１８】
本発明は、火災検知器に取付ける火災検知器カバーである。以下、本発明を実施するための形態について説明する。
【実施例１】
【００１９】
図１、図２は、本発明の実施例１における火災検知器カバーＡ１を火災検知器ＦＤに取付けた状態の正面図と側面図である。１は火災検知器ＦＤへ放射される赤外線を一時的に遮断するために火災検知器ＦＤを覆う火災検知器カバーＡ１を構成するシート状のカバー部材、１ａはカバー部材１の表面又は内面のうち少なくともいずれか一方の全面にアルミ蒸着等の処理がされた赤外線を遮断する遮光部、２１，２２，２３は表面に蛍光塗料が塗布された蓄光部、３は表面がプリズム又は鏡面処理された反射部、５は火災検知器ＦＤに火災検知器カバーＡ１を取付けるための取付け手段として、カバー部材１の開口部４に設けられた口ゴム部、Ｂは火災検知器ＦＤの縦中心線、Ｇは火災検知器ＦＤに設けられた受光ガラスである。受光ガラスＧの内部には火災を検出するセンサー等が内蔵されている（図示せず）。火災検知器ＦＤは、火災時に炎から生じた赤外線が受光ガラスＧを透過して内蔵されたセンサー等が赤外線を検知し、道路管理者等に火災信号を通知するようになっている。また火災検知器ＦＤは、車道等のトンネルの側壁に設けられている監視通路から１．５ｍの高さにおけるトンネルの壁面等の位置に一定間隔（例えば２５ｍ間隔）で複数配置されている。
【００２０】
図１に示すように、火災検知器カバーＡ１を火災検知器ＦＤに取り付けて、火災検知器ＦＤが火災検知器カバーＡ１に覆われている状態において、火災検知器カバーＡ１は、遮光部１ａにより火災検知器ＦＤを外部の赤外線から遮断する。従って工事中に使用されるガスバーナーやサンダ等の火花により発生する赤外線は受光ガラスＧを透過する前に遮断されるため、火災検知器ＦＤは、道路管理者等に火災信号を通知することがない。
【００２１】
蓄光部２１は、「点検中」の文字の形状から成り、蓄光部２２，２３と反射部３は長方形のシート状に形成され、面ファスナーでカバー部材１の外表面に着脱自在に設けられている。工事後、火災検知器カバーＡ１を取り忘れていても、蓄光部２１，２２，２３は自ら発光し、反射部３は光を反射するため、火災検知器カバーＡ１の取り忘れを防止することができる。更に蓄光部２１，２２，２３と反射部３は火災検知器カバーＡ１が火災検知器ＦＤに取付けられた状態で火災検知器ＦＤの縦中心線Ｂの左右に設けられている。このため、図２に示すように火災検知器カバーＡ１が火災検知器ＦＤにより突出して変形しても、火災検知器ＦＤの側面方向から蓄光部２１，２２と反射部３を視認することができる。従って監視通路上で火災検知器ＦＤの側面方向から火災検知器カバーＡ１の取り忘れを確認する場合に、火災検知器カバーＡ１を取り忘れていたときは、蓄光部２１，２２と反射部３が視界に入ることで取り忘れを防止することができる。また蓄光部２２，２３と反射部３はカバー部材１と面ファスナーにより着脱自在に設けられているため、火災検知器カバーＡ１を取付ける際、火災検知器ＦＤの形状によって予め取り付けておいた蓄光部２２，２３と反射部３が確認し難い状態になったときは、蓄光部２２，２３と反射部３の取付け位置を変えることにより確認し易くすることができる。またカバー部材１の開口部４に口ゴム部５を設けてあるため、口ゴム部５を広げるだけで火災検知器カバーＡ１の取付けおよび取り外しを素早く簡便に行うことができる。
【実施例２】
【００２２】
図３〜図５は、本発明の実施例２における火災検知器カバーＡ２を火災検知器ＦＤに取付けた状態の正面図、側面図と底面図である。１１は火災検知器ＦＤへ放射される赤外線を一時的に遮断するために火災検知器ＦＤを覆う火災検知器カバーＡ２を構成するシート状のカバー部材、１１ａはカバー部材１１の表面又は内面のうち少なくともいずれか一方の全面にアルミ蒸着等の処理がされた赤外線を遮断する遮光部、２４は表面に蛍光塗料が塗布された十字状の形状からなる蓄光部である。蓄光部２４は面ファスナーによりカバー部材１１の外表面に着脱自在に設けられている。６，７は火災検知器ＦＤに火災検知器カバーＡ２を取付けるための取付手段としてカバー部材１１の開口部４１に設けられた面ファスナー付きのベルトである。ベルト６の表面は面ファスナーのメス部６ａが設けられており、ベルト７の裏面にはベルト６の面ファスナーのメス部と対となるオス部７ａが設けられている。火災検知器カバーＡ２の火災検知器ＦＤへの取付けは、ベルト６，７でカバー部材１１の開口部４１を絞り、面ファスナーのメス部６ａとオス部７ａでベルト６，７を互いに固定することにより行う。なお、火災検知器ＦＤの構成については実施例１で示したものと同様である。
【００２３】
図３に示すように、蓄光部２４は、十字状の形状をしているため、火災検知器カバーＡ２が火災検知器ＦＤに取付けられて覆われている状態で蓄光部２４の一部が縦中心線Ｂ上に配置されると共に、火災検知器ＦＤの縦中心線Ｂの左右に渡って設けられている状態にある。このため、図４に示すように火災検知器カバーＡ２が火災検知器ＦＤの受光ガラスＧにより突出して変形しても、火災検知器ＦＤの側面方向から蓄光部２４を確認することができる。従って監視通路上で火災検知器ＦＤの側面方向から火災検知器カバーＡ２の取り忘れを確認する場合に、火災検知器カバーＡ２を取り忘れていたときは、蓄光部２４が視界に入ることで取り忘れを防止することができる。また蓄光部２４は面ファスナーによりカバー部材１１に着脱自在に設けられているので、蓄光部２４が確認し難い状態になったときでも、蓄光部２４の取付け位置を変えることにより確認し易くすることができる。なお、この実施例では蓄光部２４を十字状の形状としたが、蓄光部の代わりに十字状の形状の反射部を設けてもよいし、同様の効果を持つものとしてＸ状の形状とした蓄光部または反射部をカバー部材の面方向で着脱自在に取付けるようにしてもよい。またカバー部材１１の開口部４１に面ファスナー付きのベルト６，７を設けてあるため、火災検知器カバーＡ２の取付けおよび取り外しを素早く簡便に行うことができる。
【００２４】
上記実施例においては、火災検知器カバーＡ１，Ａ２のカバー部材１，１１の全面に遮光部１ａ，１１ａを設けたが、必ずしもカバー部材１，１１の全面に設ける必要はなく、火災検知器の炎による赤外線を検知する部分、つまり火災検知器ＦＤの構成でいえば、受光ガラスＧを覆う部分の少なくとも一部に設ければよい。また蓄光部２１〜２４と反射部３をカバー部材の面方向に設けたが、蓄光部又は反射部をカバー部材の表面から突出した立体的形状のものとしてもよい。また蓄光部又は反射部の一端を自由端として、他端をカバー部材に取付けるようにした構成にしてもよい。このように蓄光部又は反射部の形状についても、上記実施例で示した形状に限定されることはない。蓄光部と反射部のシート部材への取付け方法についても面ファスナーによる方法ではなく、シート部材の表面に蓄光部又は反射部を入れる透明なポケットを設けて蓄光部と反射部を着脱自在に設けてもよく、上記実施例に限定されることはない。また火災検知器カバーの取付け手段として、口ゴムや面ファスナー付きのベルトによる取付け方法とは別に、カバー部材の裏面に磁石や吸盤を設けることにより火災検知器に取付ける方法もある。従って火災検知器カバーの取付け手段においても上記実施例に限定されることはない。
【符号の説明】
【００２５】
ＦＤ  火災検知器、Ｇ  受光ガラス、Ａ１，Ａ２  火災検知器カバー、Ｂ  縦中心線、１，１１  カバー部材、１ａ，１１ａ  遮光部、２１，２２，２３，２４  蓄光部、３  反射部、４，４１  開口部、５  口ゴム部、６，７  ベルト、６ａ  メス部、７ａ  オス部
【図１】
2018106215.tif 000003
【図２】
2018106215.tif 000004
【図３】
2018106215.tif 000005
【図４】
2018106215.tif 000006
【図５】
2018106215.tif 000007